(57)【要約】【課題】ダミーテープのコストアップを招くことなく、光ファイバテープ心線の積層乱れを防止することができる光ファイバケーブルおよびこれに用いるダミーテープを提供する。【解決手段】スロットロッド１０の溝１１ｅに、下層より片面波付ダミーテープ１３Ａ、両面波付ダミーテープ１３Ｂ、片面波付ダミーテープ１３Ａを順に、波付け面が対向するように積層し、その最上層上に１枚または複数枚の光ファイバテープ心線１２を積層するとともに、スロットロッド１０上に押えテープ１５を巻き付け、その外周に外被１６を設けた光ファイバケーブル、およびこれに用いるダミーテープ１３Ａ、１３Ｂである。【選択図】      図２
2004163723.tif 000002
【特許請求の範囲】
【請求項１】
外周に溝が形成されたスロットロッドと、前記溝の底面側に積層された複数枚のダミーテープと、これらのダミーテープの最上層上に積層された１枚または複数枚の光ファイバテープ心線と、前記スロットロッド上に巻き付けられた押えテープと、これらの外周に設けられた外被とを備えた光ファイバケーブルにおいて、
前記ダミーテープ同士が対向する面の少なくとも一方に幅方向の滑りを防止する手段を設けたことを特徴とする光ファイバケーブル。
【請求項２】
外周に溝が形成されたスロットロッドと、前記溝の底面側に積層された複数枚のダミーテープと、これらのダミーテープの最上層上に積層された１枚または複数枚の光ファイバテープ心線と、前記スロットロッド上に巻き付けられた押えテープと、これらの外周に設けられた外被とを備えた光ファイバケーブルにおいて、
前記ダミーテープ同士が対向する面の双方を幅方向に凹凸を有する波付け面としたことを特徴する光ファイバケーブル。
【請求項３】
光ファイバケーブルのスロットロッドの溝内に光ファイバテープ心線とともに積層されて収容されるダミーテープにおいて、
片面または両面に幅方向の滑りを防止する手段を設けたことを特徴とするダミーテープ。
【発明の詳細な説明】
【０００１】
【発明の属する技術分野】
本発明は、スロットロッドの溝に光ファイバテープ心線とともに複数枚のダミーテープを積層して収容した光ファイバケーブルおよびこれに用いるダミーテープに関する。
【０００２】
【従来の技術】
従来より、スロットロッドの外周に設けられた複数の溝に光ファイバテープ心線を複数枚積層して収容し、その外周に押えテープを施し、さらにその上に外被を設けた構造のスロット型光ファイバケーブルが知られている。
【０００３】
このような光ファイバケーブルにおいては、主として光ファイバテープ心線の溝内での移動を防止するため、スロットロッドの各溝を一杯にする必要があり、光ファイバテープ心線を所定（最大）枚数収容しない溝には、その残部空間にダミーテープを積層して収容している（例えば、特許文献１参照。）。
【０００４】
この場合、ダミーテープは、ケーブル布設後の光ファイバテープ心線の取り出し作業性等を考慮して、溝の底面側に積層し、その上に光ファイバテープ心線を積層している。図８（ａ）は、その一例を示したもので、スロットロッド１の溝１ａの底面側に３枚のダミーテープ２が積層され、その上に２枚の光ファイバテープ心線３が積層されている。
【０００５】
【特許文献１】
特開平８−１２２５９７号公報（第２頁）
【０００６】
【発明が解決しようとする課題】
しかしながら、このようにダミーテープ２を溝１ａの底面側に積層すると、ケーブルが曲げられたりケーブルが振動したときなどに、ダミーテープ２相互間で幅方向（横方向）の滑りが発生して、ダミーテープ２の積層ずれ（図２（ｂ））や積層崩れ（図２（ｃ））が起こり、これにより、光ファイバテープ心線３の積層状態に乱れが生じて、伝送損失が増加するという問題があった。特に、マルチモード型光ファイバを用いた場合に、この伝送損失の増加が顕著であった。
【０００７】
一方、ダミーテープ２の積層面となる上下両面の寸法精度を、光ファイバテープ心線３のそれとほぼ等しくすれば、ダミーテープ２間の幅方向の滑りが発生し難くなり、ダミーテープ２の積層ずれや積層崩れが起き難くなる。すなわち、ダミーテープ２は、コストを優先するため、加工精度が必ずしも高いとはいえず、このため、両側縁部に比べて中央部がやや膨らんでおり、幅方向に滑りが発生しやすい構造となっている。これに対し、光ファイバテープ心線３は、加工精度が高いため、中央部の膨らみもなく、滑りが発生し難い構造となっており、光ファイバテープ心線３のみで埋められた溝１ａでは、光ファイバテープ心線３の積層状態に乱れが生じることはない。
【０００８】
しかしながら、ダミーテープの上下両面の寸法精度を高めるためには高度な加工精度が要求されるため、ダミーテープのコストが高くなり、結果的に、ケーブルコストの上昇を招く。
【０００９】
本発明はこのような従来技術の課題を解決するためになされたもので、ダミーテープのコストアップを招くことなく、光ファイバテープ心線の積層乱れを防止することができ、もって、ダミーテープに起因する伝送損失の増加を招くことのない光ファイバケーブルおよびこれに用いるダミーテープを提供することを目的とする。
【００１０】
【課題を解決するための手段】
上記目的を達成するため、本発明の光ファイバテープ心線は、外周に溝が形成されたスロットロッドと、前記溝の底面側に積層された複数枚のダミーテープと、これらのダミーテープの最上層上に積層された１枚または複数枚の光ファイバテープ心線と、前記スロットロッド上に巻き付けられた押えテープと、これらの外周に設けられた外被とを備えた光ファイバケーブルにおいて、前記ダミーテープ同士が対向する面の少なくとも一方に幅方向の滑りを防止する手段を設けたことを特徴とする。
【００１１】
上記構成の光ファイバケーブルにおいては、ダミーテープ同士が対向する面の少なくとも一方に幅方向の滑りを防止する手段を設けたことにより、光ファイバテープ心線に対するような高度な加工精度を要求することなく、ダミーテープ相互間の幅方向の滑りを防止することができる。したがって、ダミーテープのコストアップを招くことなく、光ファイバテープ心線の積層乱れを防止することができ、ダミーテープに起因する伝送損失の増加を防止することができる。
【００１２】
また、本発明の光ファイバケーブルは、外周に溝が形成されたスロットロッドと、前記溝の底面側に積層された複数枚のダミーテープと、これらのダミーテープの最上層上に積層された１枚または複数枚の光ファイバテープ心線と、前記スロットロッド上に巻き付けられた押えテープと、これらの外周に設けられた外被とを備えた光ファイバケーブルにおいて、前記ダミーテープ同士が対向する面の双方を幅方向に凹凸を有する波付け面としたことを特徴する。
【００１３】
上記構成の光ファイバケーブルにおいては、対向する一方の波付け面の山部（凸部）と他方の波付け面の谷部（凹部）が係合するため、ダミーテープ相互間の幅方向の滑りを確実に防止することができ、ダミーテープに起因する伝送損失の増加を防止することができる。しかも、波付け加工は、光ファイバテープ心線に対するような高度な加工精度が要求されることがないため、ダミーテープのコストアップを招くこともない。
【００１４】
本発明のダミーテープは、光ファイバケーブルのスロットロッドの溝内に光ファイバテープ心線とともに収容されるダミーテープにおいて、片面または両面に幅方向の滑りを防止する手段を設けたことを特徴とする。
【００１５】
本発明のダミーテープにおいては、ダミーテープ同士が対向する面の少なくとも一方が幅方向の滑りを防止する手段を設けた面となるようにスロットロッドの溝内の底面側に積層することにより、ダミーテープ相互間の幅方向の滑りを防止することができ、これにより、ダミーテープを用いた光ファイバケーブルのダミーテープに起因する伝送損失の増加を防止することができる。しかも、本発明のダミーテープは、光ファイバテープ心線に対するような高度な加工精度が要求されることがないため、コスト高となることもない。
【００１６】
【発明の実施の形態】
以下、本発明の実施の形態を図面を用いて説明する。
【００１７】
図１は、本発明の光ファイバケーブルの一実施形態を示す横断面図である。
図１において、１０は、外周に長さ方向に延びる５本の螺旋状の溝１１ａ〜１１ｅ（幅約１．４５ｍｍ、深さ約２ｍｍ）が周方向に等間隔で形成された外径約７．７ｍｍのポリエチレン製のスロットロッドを示している。このスロットロッド１０の５本の溝１１ａ〜１１ｅのうち、４本の溝１１ａ〜１１ｄには、幅１．１ｍｍ、厚さ０．３ｍｍの４心光ファイバテープ１２が５枚ずつ積層されて収容されており、残りの１本の溝１１ｅには、その底面側に後述するようなナイロンやポリエチレンなどのプラスチックからなるダミーテープ１３が３枚積層されて収容され、それらの上に４心光ファイバテープ１２が２枚積層されて収容されている。
【００１８】
また、スロットロッド１０の中心には、鋼線、ＦＲＰ（ガラス繊維強化プラスチック）などからなるテンションメンバ１４が埋設されており、スロットロッド１０の外周には、押えテープ１５が巻き付けられている。さらに、押えテープ１５の上には、ポリエチレンなどのプラスチックからなる外被１６が設けられている。
【００１９】
図２に、ダミーテープ１３が収容されている溝１１ｅを拡大して示す。
同図に示すように、溝１１ｅには、幅および厚さが光ファイバテープ心線１２とほぼ同じ大きさで形状のみ異なる２種類のダミーテープ１３Ａ、１３Ｂが収容されている。すなわち、溝１１ｅの底面側より、まず、図３（ａ）に示すような片面のみ波付け面とされている片面波付ダミーテープ１３Ａが波付け面を上方に向けて収容されており、その上に、図３（ｂ）に示すような上面および下面がいずれも波付け面とされている両面波付ダミーテープ１３Ｂが積層されている。さらにその上には、第１層目と同様の片面波付ダミーテープ１３Ａが波付け面を下方に向けて積層されている。
【００２０】
このように構成される光ファイバケーブルにおいては、対向する一方のダミーテープ１３Ａの波付け面の山部（凸部）と他方のダミーテープ１３Ｂの波付け面の谷部（凹部）が係合するため、ダミーテープ１３相互間の幅方向の滑りが規制される。この結果、図８（ｂ）や図８（ｃ）に示したようなダミーテープ１３の積層ずれや積層崩れの発生が防止され、これに起因する光ファイバテープ心線１２の積層乱れ、さらには、この光ファイバテープ心線１２の積層乱れによって起こる伝送損失の増加が防止される。しかも、ダミーテープ１３は、片面または両面に波付け加工が施されていればよいため、高度な加工精度が要求されることはなく、ダミーテープ１３の価格が高くなることもない。
【００２１】
なお、３枚のダミーテープ１３は、ダミーテープ１３同士が対向する面の双方が波付け面とされていればよく、したがって、例えば図４に示すように、積層するダミーテープ１３すべてを両面波付ダミーテープ１３Ｂとしてもよく、また、図５に示すように、溝１１ｅの底面側より第１層目および第２層目を両面波付ダミーテープ１３Ｂとし、その上に片面波付ダミーテープ１３Ａを波付け面を下方に向けて積層する構成としてもよい。
【００２２】
しかしながら、前述したようにダミーテープ１３の幅方向の滑りは、ダミーテープ１３相互間で発生しやすいうえ、ダミーテープ１３のスロットロッド１０や光ファイバテープ心線１２と対向する面が波付け面とされている場合に、接触面積の減少によって却ってダミーテープ１３が滑りやすくなるおそれがあることから、図２に示すように、ダミーテープ１３同士が対向する面のみ波付け面となるようにすることが好ましい。
【００２３】
また、以上説明した例は、スロットロッド１０の外周に５個の溝１１ａ〜１１ｅが形成され、かつこれらの５個の溝１１ａ〜１１ｅのうち１つの溝１１ｅに、３枚のダミーテープ１３と２枚の４心光ファイバテープ心線１２が収容されている光ファイバケーブルの例であるが、本発明はこのような例に限定されるものではなく、例えばスロットロッドの溝の数は１〜４個または６個以上であってもよく、ダミーテープが収容されている溝の数も２個以上であってよい。また、１つの溝に収容されている光ファイバテープ心線やダミーテープの数も特に上記のものに限定されるものではなく、さらに、光ファイバテープ心線やダミーテープが全く収容されていない溝があってもよい。要は、底面側に複数枚のダミーテープが積層され、その上に少なくとも１枚の光ファイバテープ心線が収容されている溝を有するものであればよい。
【００２４】
さらに、本発明においては、図３に示すような片面波付ダミーテープ１３Ａや両面波付ダミーテープ１３Ｂに代えて、片面または両面に摩擦係数が増大するような粗面加工を施したものを用いて構成するようにしてもよい。
【００２５】
図６は、その一例を示したもので、図１に示す光ファイバケーブルにおいて、溝１１ｅに収容するダミーテープ１３として、両面に摩擦係数が増大するような粗面加工を施した両面粗面化ダミーテープ１３Ｃを用いた例である。
すなわち、この例では、両面粗面化ダミーテープ１３Ｃが３枚、溝１１ｅの底面側に積層され、それらの上に４心光ファイバテープ１２が２枚積層されている。
【００２６】
このように構成される光ファイバケーブルにおいても、ダミーテープ１３Ｃ同士が対向する面が粗面化されているため、各ダミーテープ１３Ｃは幅方向に滑り難く、ダミーテープ１３Ｃの積層ずれや積層崩れが防止され、ダミーテープ１３Ｃに起因する伝送損失の増加が防止される。
【００２７】
また、図７は、図１に示す光ファイバケーブルにおいて、ダミーテープ１３として、片面に摩擦係数が増大するような粗面加工を施した片面粗面化ダミーテープ１３Ｄを用いた例である。
すなわち、この例では、片面粗面化ダミーテープ１３Ｄが３枚、溝１１ｅの底面側にいずれも粗面加工面を上方に向けて積層され、それらの上に４心光ファイバテープ１２が２枚積層されている。
【００２８】
このように構成される光ファイバケーブルにおいては、図６に示したものに比べ、ダミーテープ１３Ｄの幅方向の滑り抑制効果はやや低いものの、従来に比べ、ダミーテープ１３Ｄの積層ずれや積層崩れが防止され、ダミーテープ１３Ｄに起因する伝送損失の増加が防止される。
【００２９】
なお、このような両面粗面化ダミーテープ１３Ｃや片面粗面化ダミーテープ１３Ｄを用いる場合には、ダミーテープ１３同士が対向する面の少なくとも一方の面が粗面加工面となるように構成すればよく、使用するダミーテープの種類やその積層方法によって、ダミーテープの幅方向の滑り抑制効果に多少差があるものの、従来に比べ、ダミーテープの積層ずれや積層崩れを防止することができ、ダミーテープに起因する伝送損失の増加を防止することができる。
【００３０】
【発明の効果】
以上説明したように、本発明の光ファイバケーブルおよびダミーテープによれば、ダミーテープに光ファイバテープ心線に対するような高度な加工精度を要求することなく、ダミーテープ相互間の幅方向の滑りを防止することができる。したがって、ダミーテープのコストアップを招くことなく、光ファイバテープ心線の積層乱れを防止することができ、ダミーテープに起因する伝送損失の増加を防止することができる。
【図面の簡単な説明】
【図１】本発明の光ファイバケーブルの一実施形態を示す断面図。
【図２】本発明の一実施形態の要部拡大断面図。
【図３】本発明において使用されるダミーテープの構造を示す断面図。
【図４】本発明の一実施形態における変形例を示す要部拡大断面図。
【図５】本発明の一実施形態における変形例を示す要部拡大断面図。
【図６】本発明の一実施形態における変形例を示す要部拡大断面図。
【図７】本発明の一実施形態における変形例を示す要部拡大断面図。
【図８】従来の光ファイバケーブルにおけるダミーテープの積層状態を示す断面図。
【符号の説明】
１０………スロットロッド
１１ａ〜１１ｅ………溝
１２………光ファイバテープ心線
１３………ダミーテープ
１３Ａ………片面波付ダミーテープ
１３Ｂ………両面波付ダミーテープ
１３Ｃ………両面粗面化波付ダミーテープ
１３Ｄ………片面粗面化波付ダミーテープ
１５………押えテープ
１６………外被
【図１】
2004163723.tif 000003
【図２】
2004163723.tif 000004
【図３】
2004163723.tif 000005
【図４】
2004163723.tif 000006
【図５】
2004163723.tif 000007
【図６】
2004163723.tif 000008
【図７】
2004163723.tif 000009
【図８】
2004163723.tif 000010